(57)【要約】【課題】簡単な操作で各種パーツを堅固に取り付けることのできるアタッチメントユニットを提供せんとする。【解決手段】軸方向に雌ネジ穴を設けた操作シャフト（１０１）と、操作シャフト（１０１）上に装着され、操作シャフトの軸中心の回転操作と共に回転せしめられるカムディスク（１０２）と、操作シャフト（１０１）上にその軸方向及び軸直角方向に変位可能なよう装着され、カムディスク（１０２）の回転操作により操作シャフト（１０１）の軸方向に変位せしめられると同時に、操作シャフト（１０１）に設けた拡径用カム（１０１ａ）により軸直角方向に互いに離隔するよう変位せしめられる少なくとも一対のカム付きスライダー（１０３，１０４，１０７，１０８）と、を設けることにより、前記課題を解決した。【選択図】図２
2012225501.tif 000002
【特許請求の範囲】
【請求項１】
軸方向へ雌ネジ穴を有する操作シャフトと、
前記操作シャフト上に装着され、操作シャフトの軸中心の回転操作と共に回転せしめられるカムディスクと、
前記操作シャフト上にその軸方向及び軸直角方向に変位可能なよう装着され、前記カムディスクの回転操作により前記操作シャフトの軸方向に変位せしめられると同時に、前記操作シャフトに設けた拡径用カムにより軸直角方向に互いに離隔するよう変位せしめられる少なくとも一対のカム付きスライダーと、
を備えたことを特徴とする、アタッチメントユニット。
【請求項２】
前記カムディスクの上下両面にカム面を形成し、前記カムディスクの上側及び下側にそれぞれ前記一対のカム付きスライダーを設けたことを特徴とする、請求項１に記載のアタッチメントユニット。
【請求項３】
前記一対のカム付きスライダーが、カムディスクのカム面と作用するカム面を有するカム付きスライダーと、これに対して前記操作シャフトの軸直角方向に互いに接近、離隔するよう変位可能なカム付きスライダーとから構成されたことを特徴とする、請求項１に記載のアタッチメントユニット。
【請求項４】
前記各カム付きスライダーの上側及び又は下側に位置するものは、その各々の外側頂面に複数の爪部を設けたことを特徴とする、請求項１に記載のアタッチメントユニット。
【請求項５】
前記操作シャフトに、これを回転操作する工具を挿入若しくは嵌め込む穴を形成したことを特徴とする、請求項１に記載のアタッチメントユニット。
【請求項６】
前記操作シャフトの回転操作時における前記少なくとも一対のカム付きスライダーの追従回転を防止するための治具の嵌め込み部を設けたことを特徴とする、請求項１に記載のアタッチメントユニット。
【請求項７】
前記カム付きスライダーの側面に、複数の係止突起を設けたことを特徴とする、請求項１〜６に記載のアタッチメントユニット。
【発明の詳細な説明】
【技術分野】
【０００１】
本発明は、釘やネジ等の効かない、例えばハニカム構造の芯材を用いたテーブルや机の天板或は棚の棚板などのボードに、脚部や支柱等を取り付ける際に用いて好適なアタッチメントユニットに関する。
【背景技術】
【０００２】
一般的に組立式のテーブルや机、或は棚板等には、下記特許文献１〜３に示したように、無垢の木材や合板、或は集成材が用いられており、これらのボード（板材）に脚部や支柱を取り付けるための台座金具を釘や取付ネジを用いて固着している。しかるに、主として軽量化とコストダウンを図るために、上記ボードにアルミニウムの薄板や厚紙を用いたハニカム構造の芯材を用い、その上面と下面に化粧板を貼着したものが用いられる場合がある。この場合には上記台座金具を用いても釘や取付ネジが効かないために、脚部や支柱をしっかりと取り付けることが困難であることから、このようなボードに脚部や支柱を安定的に取り付けるための専用のアタッチメントユニットが求められている。
【先行技術文献】
【特許文献】
【０００３】
【特許文献１】特許第４５６７０４３号公報
【特許文献２】実公平６−１０８３０号公報
【特許文献３】実公平６−６７４５号公報
【発明の概要】
【発明が解決しようとする課題】
【０００４】
本発明は、上記した要望に答えるためのもので、釘や取付ネジの効かない例えばハニカム構造の芯材を有するテーブルや机、或は棚を構成する棚板等に用いるボードに脚部や支柱をしっかりと固定できるアタッチメントユニットを提供せんとするものである。
【課題を解決するための手段】
【０００５】
上記課題を達成するために、請求項１に記載の本発明に係るアタッチメントユニットは、軸方向に雌ネジ穴を有する操作シャフトと、前記操作シャフト上に装着され、操作シャフトの軸中心の回転操作と共に回転せしめられるカムディスクと、前記操作シャフト上にその軸方向及び軸直角方向に変位可能なよう装着され、前記カムディスクの回転操作により前記操作シャフトの軸方向に変位せしめられると同時に、前記操作シャフトに設けた拡径用カムにより軸直角方向に互いに拡径するよう変位せしめられる少なくとも一対のカム付きスライダーと、を備えたことを特徴とする。
【０００６】
前記操作シャフトの形態、カムディスクのカム面のカムの形態、カム付きスライダーの形状や数、配置、等々はアタッチメントユニットの使用目的、使用状況等により様々に設計変更可能である。
【０００７】
請求項２に記載の本発明に係るアタッチメントユニットは、前記カムディスクの上下両面にカム面を形成し、前記カムディスクの上側及び下側にそれぞれ前記一対のカム付きスライダーを設けたことを特徴とする。
【０００８】
請求項３に記載の本発明に係るアタッチメントユニットは、前記一対のカム付きスライダーが、カムディスクのカム面と作用するカム面を有するカム付きスライダーと、これに対して前記操作シャフトの軸直角方向に互いに接近、離隔するよう変位可能なカム付きスライダーとから構成されたことを特徴とする。
【０００９】
請求項４に記載の本発明に係るアタッチメントユニットは、各カム付きスライダーの上側及び又は下側に位置するものの外側頂面に複数の爪部を設けたことを特徴とする。
【００１０】
請求項５に記載の本発明に係るアタッチメントユニットは、前記操作シャフトに、これを回転操作する工具を挿入若しくは嵌め込む穴を形成したことを特徴とする。
穴の形状は、特に限定されず、用いる工具に対応して各種形状とすることが可能である。
【００１１】
請求項６に記載の本発明に係るアタッチメントユニットは、前記操作シャフトの回転操作時における前記少なくとも一対のカム付きスライダーの追従回転を防止するための治具の嵌め込み部を設けたことを特徴とする。
【００１２】
この治具の嵌め込み部の形態は、用いる治具の形態に対応して各種各様の形態のものが可能である。
【００１３】
請求項７に記載の本発明に係るアタッチメントユニットは、前記カム付きスライダーの側面に、複数の係止突起を設けたことを特徴とする。
【発明の効果】
【００１４】
上記構成を有する請求項１に記載のアタッチメントユニットによるときは、脚部等を取り付けるべきテーブルの天板等の裏面の所定位置に所定の大きさの取付穴を予め設けておき、この取付穴に本発明のアタッチメントユニットを収容させ、所定の治具をセットした上で、アタッチメントユニットの操作シャフトをレンチ等の工具を用いて軸中心に例えば９０°回転させると、カムディスクの作用で少なくとも一対のカム付きスライダーがアタッチメントユニットの軸方向に変位してアタッチメントユニットの軸方向の長さが増大すると共に、操作シャフトに設けた拡径用カムの作用により前記少なくとも一対のカム付きスライダーが軸直角方向に互いに離隔してアタッチメントユニットの径が増大する。そのため、アタッチメントユニットの奥側の端面は取付穴の底に圧接し、カム付きスライダーの外周面は取付穴の内周面に圧接することにより、アタッチメントユニットはテーブル等の天板を構成するボードに設けた取付穴の内部に堅固に固定されるものである。即ち、操作シャフトを回転させるというワンタッチの操作で、テーブルの天板等のボードの裏面の取付穴内にアタッチメントをしっかりと固定できるものである。このようにして固定されたアタッチメントユニットにテーブル等のボードへ脚部を取り付ける際には、アタッチメントユニットの操作シャフトに設けた雌ネジ穴に、取り付けるべき脚部等に設けたボルトをねじ込むことによって、脚部等を容易に取り付け得るものである。
【００１５】
尚、前記操作シャフトの形態、カムディスクのカム面のカムの形態、カム付きスライダーやカム付きスライダーの形状や数、配置、等々はアタッチメントユニットの使用目的、使用状況等により様々に設計変更可能である。
【００１６】
請求項２に記載のアタッチメントユニットにおいては、前記カムディスクの上下両面にカム面を形成し、前記カムディスクの上側及び下側にそれぞれ前記一対のカム付きスライダーを設けたことにより、アタッチメントユニットが収容される取付穴の内壁面への食い込み、強固で安定した固定効果を得ることができる。
【００１７】
請求項３に記載のアタッチメントユニットにおいては、前記一対のカム付きスライダーを、カムディスクのカム面と作用するカム面を有するカム付きスライダーと、これに対して前記操作シャフトの軸直角方向に互いに接近、離隔するよう変位可能なカム付きスライダーとから構成したことにより、一対のカム付きスライダーの円滑な作動を確保することができる。
【００１８】
請求項４に記載のアタッチメントユニットにおいては、前記各カム付きスライダーの上側と及び又は下側に位置するものの外側頂面に複数の爪部を設けたことを特徴とする。
このように構成すると、各爪部がボードを構成する化粧板に食い込むので、アタッチメントユニットの取付穴に対する取り付けがより強固なものになるという効果を奏し得る。
【００１９】
請求項５に記載のアタッチメントユニットにおいては、前記操作シャフトに、これを回転操作する工具を挿入若しくは嵌め込む穴を形成したことにより、テーブル等へのアタッチメントユニットの取付け作業を容易化できる。
【００２０】
請求項６に記載のアタッチメントユニットにおいては、前記操作シャフトの回転操作時における前記少なくとも一対のカム付きスライダーの追従回転を防止するための治具の嵌め込み部を設けたことにより、テーブル等へのアタッチメントユニットの取付け作業を容易化し、確実化できる。
【００２１】
請求項７に記載のアタッチメントユニットにおいては、前記一対のカム付きスライダーの頂面に、取り付けられるべきボードに食い込む爪部を形成したことにより、テーブルや脚部等への固定力を強化できる。
【図面の簡単な説明】
【００２２】
【図１】本発明に係るアタッチメントユニットの一実施例のカム付きスライダー拡張前の状態を示す外観斜視図である。
【図２】図１に示したアタッチメントユニットのカム付きスライダー拡張後の状態を示す外観斜視図である。
【図３】本発明に係るアタッチメントユニットの一実施例の分解斜視図である。
【図４】本発明に係るアタッチメントユニットの一実施例のカム付きスライダー拡張前の状態における中心軸に沿った断面図である。
【図５】図４に示したアタッチメントユニットのカム付きスライダー拡張後の状態における中心軸に沿った断面図である。
【図６】本発明に係るアタッチメントユニットをテーブルの天板の裏面に取り付け、更にこれに脚部を取り付ける場合の状態を示す説明図である。
【図７】本発明に係るアタッチメントユニットの取付け時に使用する治具及び工具の例を示す説明図である。
【図８】図７に示した治具及び工具を本発明に係るアタッチメントユニットにセットした状態を示す説明図である。
【図９】本発明に係るアタッチメントユニットの他の実施例を示す正面図である。
【発明を実施するための形態】
【００２３】
以下に本発明に係るアタッチメントユニットの実施例を図面に基づいて説明する。尚、以下の説明では、図６に示したように、組立式のテーブルの天板を構成するハニカム構造の芯材５０１を有するボード５に脚部２を取り付けるアタッチメントユニットを例にとって説明するが、本発明のアタッチメントユニットの取り付け先はこれに限らず、他のハニカム構造その他の釘やネジの効きにくい材料で構成したボード５に脚部２や支柱を取り付ける際に広く適用し得るものである。
【実施例１】
【００２４】
図面によれば、図1乃至図６において、本発明に係るアタッチメントユニット１は、操作シャフト１０１と、カムディスク１０２と、少なくとも一対のカム付きスライダー１０３、１０４、１０７、１０８とを備えている。
【００２５】
図示した実施例において、操作シャフト１０１は互いに軸方向に嵌め合わされたシャフト本体１０１Ａとシャフトホルダー１０１Ｂとから成る。シャフト本体１０１Ａは、その上端に設けられる拡径用カム１０１ａと、その下面に一体的に設けられるスライダー保持軸部１０１ｆ、カムディスク保持軸部１０１ｇ、シャフト保持軸部１０１ｈ、かしめ部１０１ｉとから構成され、拡径用カム１０１ａの中央には工具挿入穴１０１ｄが設けられ、更にこの工具挿入穴１０１ｄの底部から下方へ向けて軸方向へ雌ネジ穴１０１ｅが設けられている（図３〜５参照）。
【００２６】
シャフトホルダー１０１Ｂは、互いに対向する位置に設けた各一対の長辺部１０１ｒ、１０１ｓと円弧部１０１ｖ、１０１ｗを有する平面略楕円形状を呈した平板状の拡径用カム１０１оと、この拡径用カム１０１оの上面に立設したスライダー保持軸部１０１ｐと、このスライダー保持軸部１０１ｐの軸心部軸方向に設けた変形取付孔１０１ｑ及びかしめ用孔１０１ｙとで構成されている。尚、カム付きスライダー１０７の円弧状壁部１０７ｃの平面内壁１０７ｑの略中央部には係合凹部１０７ｅが形成されると共に、カム付きスライダー１０８の円弧状壁部１０８ｃの平面内壁１０８ｑの略中央部には係合凹部１０８ｅが形成されている。さらに、拡張用カム１０１оの円弧部１０１ｖ、１０１ｗの略中央部に係合凸部１０１ｔ、１０１ｕが設けられている。
【００２７】
操作シャフト１０１のシャフト本体１０１Ａとシャフトホルダー１０１Ｂは、とくに図４と図５に示したように、シャフトホルダー１０１Ｂの変形取付孔１０１ｑにシャフト保持軸部１０１ｈを挿入係合させ、さらに、かしめ用孔１０１ｙにかしめ部１０１ｉを挿入係合させることにより、互いにともに回転するように連結されている。尚、かしめ用孔１０１ｙとかしめ部１０１ｉは互いに円形であっても良い。
【００２８】
シャフト本体１０１Ａに設けた板状の拡径用カム１０１ａの外形は、互いに平行な長辺部１０１ｊ、１０１ｋと、互いに対向する円弧部１０１ｌ、１０１ｍとを有する平面略楕円形状を呈した平板状に形成されている。尚、カム付きスライダー１０３の円弧状壁部１０３ｃの平面内壁１０３ｑの略中央部には係合凹部１０３ｅが形成されると共に、カム付きスライダー１０４の円弧状壁部１０４ｃの平面内壁１０４ｋの略中央部には係合凹部１０４ｅが形成されている。さらに、拡張用カム１０１ａの円弧部１０１ｌ、１０１ｍの略中央部に係合凸部１０１ｂ、１０１ｃが設けられている。図示するように、係合凸部１０１ｂと１０１ｃとの間隔は、長辺部１０１ｊと１０１ｋとの間隔よりも大きく形成されている。そのため、図１に示すように、拡径用カム１０１ａの長辺部１０１ｊと１０１ｋが、カム付きスライダー１０３の平面内壁１０３ｑとカム付きスライダー１０４の平面内壁１０４ｋとにそれぞれ接触している状態においては、カム付きスライダー１０３とカム付きスライダー１０４とが互いに接近し、操作シャフト１０１の中心軸に近づいた状態（カム付きスライダー拡張前の状態）となっている。他方、図２に示すように、操作シャフト１０１を軸中心に９０°回転させ、拡径用カム１０１ａの円弧部１０１ｌ、１０１ｍの中央の係合凸部１０１ｂ、１０１ｃが、カム付きスライダー１０３の係合凹部１０３ｅとカム付きスライダー１０４の係合凹部１０４ｅとにそれぞれ係合している状態においては、カム付きスライダー１０３とカム付きスライダー１０４とが互いに離れ、操作シャフト１０１の中心軸から遠ざかった状態（カム付きスライダー拡張後の状態）となる。
【００２９】
尚、シャフト本体１０１Ａの拡径用カム１０１ａの上面には、六角棒レンチ等の工具挿入穴１０１ｄのほか、他の工具によっても回転操作が可能なよう、別の工具嵌め込み穴１０１ｎも設けておくことが推奨される。
【００３０】
カムディスク１０２は、その上下両面に同様のカム面１０２ａ（図３参照）をそれぞれ有し、このカムディスク１０２の上側に一対のカム付きスライダー１０３，１０４が設けられ、カムディスク１０２の下側に更にもう一対のカム付きスライダー１０７，１０８が設けられることにより、合わせて二対のカム付きスライダーが設けられ、後述するボード５に対して強固で安定した結合がなされるようになっている。カムディスク１０２は、図示した実施例の如く片面にカム面を設けた２枚のカム板を重ね合わせたもののほか、１枚のカム板の両面にカム面を形成したものを用いてもよい。
【００３１】
図示した実施例において、上側の一対のカム付きスライダー１０３，１０４と下側の一対のカム付きスライダー１０７，１０８とは、同一の構成を有する。尚、これら一対のカム付きスライダーは、図示の実施例において、カム付きスライダー１０３（１０７）と、カム付きスライダー１０４（１０８）とから構成される。
【００３２】
図３〜図５に示すように、操作シャフト１０１には、シャフト本体１０１Ａのスライダー保持軸部１０１ｆに上から順に、皿バネ１０６、カム付きスライダー１０４、カム付きスライダー１０３が取り付けられ、カムディスク保持軸部１０１ｇにカムディスク１０２が取り付けられている。そして、シャフトホルダー１０１Ｂに、カム付きスライダー１０７、カム付きスライダー１０８、皿バネ１１０が取り付けられ、その先端側のシャフト保持軸部１０１ｈがシャフトホルダー１０１Ｂの変形取付孔１０１ｑ内に嵌入され、シャフト本体１０１Ａのかしめ部１０１ｉの最先端部はシャフトホルダー１０１Ｂの底面のかしめ用孔１０１ｙを貫通し、その露出部分をかしめ等の手段でかしめることにより、かしめ部１０１ｘが形成され、シャフトホルダー１０１Ｂと固定されるようになっている。
【００３３】
カムディスク１０２は、操作シャフト１０１上に、当該操作シャフトの軸中心の回転操作と共に回転せしめられるように装着されている。即ち、図３に示す如く、操作シャフト１０１のシャフト本体１０１Ａのカムディスク保持軸部１０１ｇはその軸中心断面が略四角形をしており、カムディスク１０２の中心孔１０２ｂもこれに対応する略四角形に形成されることにより、カムディスク１０２は操作シャフト１０１に対して回転不可能なように、従って、操作シャフト１０１を軸中心に回転させると、カムディスク１０２も操作シャフト１０１の回転操作と共に回転せしめられるようになっている。尚、カムディスク１０２の上下方向の位置止めは、操作シャフト１０１のシャフト本体１０１Ａのカムディスク保持軸部１０１ｇに装着されたカムディスク１０２を、シャフト本体１０１Ａのスライダー保持軸部１０１ｆの下端面とシャフトホルダー１０１Ｂのスライダー保持軸部１０１ｐの上端面とによって上下から挟み付けることにより一定位置に保持するようになっている。そして、カムディスク１０２の上下両面のカム面１０２ａには、凸部１０２ｃと凹部１０２ｄとが形成されている。
【００３４】
図示した実施例において、上側の一対のカム付きスライダー１０３、１０４と、下側の一対のカム付きスライダー１０７、１０８は、いずれも操作シャフト１０１上にその軸方向及び軸直角方向に変位可能なよう装着され、カムディスク１０２の回転操作により操作シャフト１０１の軸方向に変位せしめられると同時に、操作シャフト１０１に設けた拡径用カム１０１ａ及び１０１ｏにより軸直角方向に互いに離隔するよう変位せしめられるようになっている。以下その構成について、詳述する。
【００３５】
上側の一対のカム付きスライダーのカム付きスライダー１０３とカム付きスライダー１０４とは、カムディスク１０２の上側に両者の円環部１０３ａと１０４ａを重ねた状態で、操作シャフト１０１のシャフト本体１０１Ａのスライダー保持軸部１０１ｆ上に装着される。
【００３６】
カム付きスライダー１０４の皿バネ収容部１０４ｊには皿バネ１０６が収容され（図３、４、５参照）、カム付きスライダー１０４の円環部１０４ａの上面とシャフト本体１０１Ａの拡径用カム１０１ａの下面との間に離間力を作用させるようになっている。これにより、カム付きスライダー１０３とカム付きスライダー１０４とは、シャフト本体１０１Ａのスライダー保持軸部１０１ｆ上で、皿バネ１０６の作用下に上下方向に変位可能なように保持されている。皿バネ１０６は円形のリング部１０６ａから成り、加圧時の変形が許容されるよう、その中心孔１０６ｂの直径はシャフト本体１０１Ａのスライダー保持軸部１０１ｆの直径より若干大きめに形成されている。
【００３７】
カム付きスライダー１０３がカムディスク１０２と対向する面、即ち、カム付きスライダー１０３の円環部１０３ａの下面には、カムディスク１０２の上側のカム面１０２ａに作用する凸部１０３ｋと凹部１０３ｍとから成るカム面１０３ｊが形成されている。
【００３８】
その場合において、カム付きスライダー１０３とカム付きスライダー１０４の相互間の変位方向が、両者の長径方向に沿って互いに反対方向となるように規制するために、ガイドピン１０５ａ〜１０５ｄと、これらを嵌め込むピン穴とガイド溝とを、カム付きスライダー１０３の摺動面１０３ｈとカム付きスライダー１０４の摺動面１０４ｈ上の互いに対応する位置に設けてある。即ち、図３に示した実施例において、カム付きスライダー１０３の摺動面１０３ｈには、ガイドピン１０５ａを嵌め込むピン穴１０３ｎと、ガイドピン１０５ｂを嵌め込むピン穴１０３ｏとを設け、カム付きスライダー１０４の摺動面１０４ｈには、これらのガイドピン１０５ａ、１０５ｂを案内するガイド溝（図３では隠れて見えない。下側のカム付きスライダー１０８の摺動面１０８ｈに設けたガイド溝１０８ｎ、１０８ｏと同様のもの。）を設けるようにする。また、同様に、カム付きスライダー１０４の摺動面１０４ｈにも２本のガイドピン１０５ｃ、１０５ｄを嵌め込むピン穴（図３では隠れて見えない。下側のカム付きスライダー１０８の摺動面１０８ｈに設けたピン穴１０８ｊ、１０８ｋと同様のもの。）を設け、カム付きスライダー１０３の摺動面１０３ｈには、これらのガイドピンを案内するガイド溝１０３ｐ（もう一つのガイド溝は隠れて見えない。）を設けるようにする。このように、上側の一対のカム付きスライダーについて４本のガイドピンを用いて、カム付きスライダー１０３とカム付きスライダー１０４とが、両者の長径方向に沿って互いに反対方向に変位し得るよう構成する。尚、後述する下側のカム付きスライダー１０７とカム付きスライダー１０８の間にも、同様の４本のガイドピン１０９ａ〜１０９ｄが設けられるため、全部で８本のガイドピンが用いられることになる。
【００３９】
カム付きスライダー１０３の外周のうち、中心孔１０３ｂの一方の半円部に対応する略半周領域には円弧状壁部１０３ｃが形成され、その外周面１０３ｄがテーブルの天板等のボード５に設けた取付穴２０１の内周面を拡張して圧接するようになっている。同様に、カム付きスライダー１０４の外周のうち、中心孔１０４ｂの一方の半円部に対応する略半周領域には円弧状壁部１０４ｃが形成され、その外周面１０４ｄがボード５に設けた取付穴２０１の内周面を拡張して圧接するようになっている。
【００４０】
また、カム付きスライダー１０３の頂面１０３ｆには複数の爪部１０３ｇが形成され、同様に、カム付きスライダー１０４の頂面１０４ｆには複数の爪部１０４ｇが形成され、これらの爪部１０３ｇ、１０４ｇがテーブル等のボード５の化粧板６０２、６０３に食い込むことにより、ボード５に対する堅固な結合がなされるようになっている。
【００４１】
尚、カム付きスライダー１０３とカム付きスライダー１０４とを操作シャフト１０１上に装着したとき、カム付きスライダー１０３の円弧状壁部１０３ｃの両端面を形成する治具ガイド端面１０３ｉと、カム付きスライダー１０４の円弧状壁部１０４ｃの両端面を形成する治具ガイド端面１０４ｉとは、所定の間隔を隔てて互いに平行に対向した状態となって、治具嵌め込み部１１１（図１、７、８参照）を形成するようになっている。
【００４２】
また、カム付きスライダー１０３の円弧状壁部１０３ｃの平面内壁１０３ｑの中央部には係合凹部１０３ｅが形成されると共に、カム付きスライダー１０４の円弧状壁部１０４ｃの平面内壁１０４ｋの中央部には係合凹部１０４ｅが形成され、カム付きスライダー拡張時に操作シャフト１０１のシャフト本体１０１Ａの拡径用カム１０１ａの係合凸部１０１ｂ、１０１ｃがこれらの係合凹部１０３ｅ、１０４ｅにそれぞれ嵌まり込むことにより、カム付きスライダー１０３、１０４の拡張状態が保持されるようになっている。
【００４３】
次に、下側の一対のカム付きスライダー１０７、１０８の構成について説明する。これらのカム付きスライダー１０７、１０８は、シャフトホルダー１０１Ｂのスライダー保持軸部１０１ｐの外周に装着される点を除き、基本的には上側の一対のカム付きスライダー１０３、１０４の構成と同様である。
【００４４】
下側の一対のスライダーのカム付きスライダー１０７とカム付きスライダー１０８とは、カムディスク１０２の下側に両者の円環部１０７ａと１０８ａを重ねた状態で、操作シャフト１０１のシャフトホルダー１０１Ｂのスライダー保持軸部１０１ｐ上に装着される。
【００４５】
カム付きスライダー１０８の皿バネ収容部１０８ｐ（図４、５参照）には皿バネ１１０が収容され、カム付きスライダー１０８の円環部１０８ａの下面とシャフトホルダー１０１Ｂの拡径用カム１０１ｏの上面との間に離間力を作用させるようになっている。これにより、カム付きスライダー１０７とカム付きスライダー１０８とは、シャフトホルダー１０１Ｂのスライダー保持軸部１０１ｐ上で、皿バネ１１０の作用下に上下方向に変位可能なように保持されている。皿バネ１１０は平面円形のリング部１１０ａから成り、加圧時の変形が許容されるよう、その中心孔１１０ｂの直径はシャフトホルダー１０１Ｂのスライダー保持軸部１０１ｐの直径より若干大きめに形成されている。
【００４６】
カム付きスライダー１０７がカムディスク１０２と対向する面、即ち、カム付きスライダー１０７の円環部１０７ａの上面には、カムディスク１０２の下側のカム面１０２ａと作用するカム面１０７ｊが形成される。カム面１０７ｊには、凸部１０７ｋと凹部１０７ｍとが形成されている。
【００４７】
その場合において、カム付きスライダー１０７とカム付きスライダー１０８の相互間の変位方向が、両者の長径方向に沿って互いに反対方向となるように規制するために、ガイドピン１０９ａ〜１０９ｄ等と、これらを嵌め込むピン穴とガイド溝とを、カム付きスライダー１０７の摺動面１０７ｈとカム付きスライダー１０８の摺動面１０８ｈ上の互いに対応する位置に設けてある。即ち、図３に示した実施例において、カム付きスライダー１０７の摺動面１０７ｈには、２本のガイドピン１０９ｃ、１０９ｄを設け（図３では隠れて見えない。上側のカム付きスライダー１０３の摺動面１０３ｈに設けたピン穴１０３ｎ、１０３ｏと同様のもの。）、カム付きスライダー１０８の摺動面１０８ｈには、これらのガイドピン１０９ｃ、１０９ｄを案内するガイド溝１０８ｎ、１０８ｏを設けるようにする。また、同様に、カム付きスライダー１０８の摺動面１０８ｈにも２本のガイドピン１０９ａ、１０９ｂを嵌め込むピン穴１０８ｊ、１０８ｋを設け、カム付きスライダー１０７の摺動面１０７ｈには、これらのガイドピン１０９ａ、１０９ｂを案内するガイド溝（図３では隠れて見えない。上側のカム付きスライダー１０３の摺動面１０３ｈに設けたガイド溝１０３ｐ等と同様のもの。）を設けるようにする。このように、下側の一対のカム付きスライダーについて４本のガイドピンを用いて、カム付きスライダー１０７とカム付きスライダー１０８とが、両者の長径方向に沿って互いに反対方向に変位し得るよう構成する。
【００４８】
カム付きスライダー１０７の外周のうち、中心孔１０７ｂの一方の半円部に対応する略半周領域には円弧状壁部１０７ｃが形成され、その外周面１０７ｄがテーブルの天板等のボード５に設けた取付穴２０１の内周面に圧接するようになっている。同様に、カム付きスライダー１０８の外周のうち、中心孔１０８ｂの一方の半円部に対応する略半周領域には円弧状壁部１０８ｃが形成され、その外周面１０８ｄがボード５に設けた取付穴２０１の内周面に圧接するようになっている。
【００４９】
また、カム付きスライダー１０７の頂面１０７ｆには複数の爪部１０７ｇ（図４、５参照）が形成され、同様に、カム付きスライダー１０８の頂面１０８ｆには複数の爪部１０８ｇが形成され、これらの爪部がテーブルの１０７ｇ、１０８ｇの化粧板６０２、６０３に食い込むことにより、ボード５に対する堅固な結合がなされるようになっている。
【００５０】
尚、カム付きスライダー１０７とカム付きスライダー１０８とを操作シャフト１０１上に装着したとき、カム付きスライダー１０７の円弧状壁部１０７ｃの両端面を形成する治具ガイド端面１０７ｉと、カム付きスライダー１０８の円弧状壁部１０８ｃの両端面を形成する治具ガイド端面１０８ｉとは、所定の間隔を隔てて互いに平行に対向した状態となって、治具嵌め込み部１１２（図１、７、８参照）を形成するようになっている。
【００５１】
また、図３では隠れて見えないが、上側の一対のカム付きスライダー１０３、１０４の場合と同様に、下側のカム付きスライダー１０７の円弧状壁部１０７ｃにも平面内壁（上側のカム付きスライダー１０３の平面内壁１０３ｑと同一のもの）が設けられ、その中央部には係合凹部（上側の平面内壁１０３ｑ上の係合凹部１０３ｅと同一のもの）が形成されると共に、カム付きスライダー１０８の円弧状壁部１０８ｃの平面内壁（上側のカム付きスライダー１０４の平面内壁１０４ｋと同一のもの）の中央部には係合凹部（上側の平面内壁１０４ｋ上の係合凹部１０４ｅと同一のもの）が形成され、スライダー拡張時に操作シャフト１０１のシャフトホルダー１０１Ｂの拡径用カム１０１ｏの係合凸部１０１ｔ、１０１ｕがこれらの係合凹部にそれぞれ嵌まり込むことにより、カム付きスライダーの拡張状態が保持されるようになっている。
【００５２】
操作シャフト１０１のシャフトホルダー１０１Ｂは、その下端に設けられる拡径用カム１０１ｏと、その上面に一体的に設けられるスライダー保持軸部１０１ｐとを有し、スライダー保持軸部１０１ｐには、変形取付孔１０１ｑが設けられている。
【００５３】
シャフトホルダー１０１Ｂに設けた拡径用カム１０１ｏの外形は、互いに平行な長辺部１０１ｒ、１０１ｓと、互いに対向する円弧部１０１ｖ、１０１ｗとを有するように形成され、円弧部１０１ｖ、１０１ｗの中央に係合凸部１０１ｔ、１０１ｕがそれぞれ形成されている。図示するように、係合凸部１０１ｔと１０１ｕとの間隔は、長辺部１０１ｒと１０１ｓとの間隔よりも大きく形成されている。そのため、上側のシャフト本体１０１Ａに設けられている拡径用カム１０１ａの場合と同様に、下側の拡径用カム１０１ｏを軸中心に回転させることにより、拡張前は軸直角方向に互いに接近していたカム付きスライダー１０７とカム付きスライダー１０８とを、互いに遠ざける（拡張後）ことができる。
【００５４】
尚、操作シャフトの形態、カムディスクのカム面のカムの形態、カム付きスライダーやカム付きスライダーの形状や数、配置、等々は、アタッチメントユニットの使用目的、使用状況等により様々に設計変更し得るものである。
【００５５】
以下、上記実施例に係るアタッチメントユニット１のボード５への取付方法及び作用効果について説明する。
【００５６】
図６に示したように、ハニカム構造の芯材５０１とこの芯材５０１の上面側と下面側に化粧板５０２，５０３を貼着して成るボード５に拡径前のアタッチメントユニット１の外形と同じ内径を持つ取付穴２０１をボード５の下面側の脚部２を取り付ける部分に上面側の化粧板５０２の方向へ貫通しないように設ける。そして、この取付穴２０１の深さは、芯材５０１にアタッチメントユニット１の厚さより若干深く設けることが好ましい。即ち、ボード５の芯材５０１の厚さに合わせてこれより若干厚さを薄くしてアタッチメントユニット１の厚さを設計することになる。実施例では、取付穴２０１は下面側の化粧板５０３を貫通し、上面側の化粧板５０２で止まっているが、これに限定されない。この取付穴２０１は、ボード５がテーブルの天板の場合には、天板の４隅の脚部２を取り付ける位置に通常４個設けられる。図６は、この取付穴２０１の一つへアタッチメントユニット１を取り付ける場合を示しており、ボード５の上面側を下側にして、この取付穴２０１へ下面側の化粧板５０３の開口側からアタッチメントユニット１の拡径前のものを挿入させる。そうするとこの時のアタッチメントユニット１が、カムディスク１０２の上側のカム面１０２ａの凹部１０２ｄに嵌まり込んだ状態となるよう両カム面の形状が形成されており、そのため、図５のカム付きスライダー拡張後の状態に比べると、カム付きスライダー１０３自体がカムディスク１０２に近づいた状態にある。従って、このカム付きスライダー１０３上に重ねて配置されたカム付きスライダー１０４も、図５の状態に比べてカムディスク１０２に近い状態にある。
【００５７】
同様に、図４の状態において、下側のカム付きスライダー１０７は、その上面に形成されたカム面１０７ｊ（図３参照）の凸部１０７ｋが、カムディスク１０２の下側のカム面１０２ａの凹部１０２ｄに嵌まり込んだ状態となるよう両カム面の形状が形成されており、そのため、図５のカム付きスライダー拡張後の状態に比べると、カム付きスライダー１０７自体がカムディスク１０２に近づいた状態にある。従って、このカム付きスライダー１０７の下に重ねて配置されたカム付きスライダー１０８も、図５の状態に比べてカムディスク１０２に近い状態にある。
【００５８】
この状態から、アタッチメントユニット１の治具嵌め込み部１１１、１１２に、図７、８に示す如く（図７、図８ではボードは省略）、治具３の２本の差し込み足３ａを嵌め込むことにより、前記の如くアタッチメントユニット１のカム付きスライダー１０３、１０４、１０７、１０８が回転しないようにした上で、アタッチメントユニット１の操作シャフト１０１の工具挿入穴１０１ｄに所定の工具４（図７、８の例では六角棒レンチ）を嵌め入れ、操作シャフト１０１を９０°回転させてカム付きスライダー１０３、１０４、１０７、１０８を前述の如く上下方向及び半径方向へ拡張（図２）させると、図６（ｂ）に示すように、取付穴２０１の内周にアタッチメントユニット１のカム付きスライダー１０３、１０４、１０７、１０８の外周面が圧接してこれを拡張させて、カム付きスライダー１０３、１０４が下側の化粧板５０３に設けた取付穴２０１より外側に広がって該取付穴２０１と係合する。同時に上側のカム付きスライダー１０３、１０４と下側のカム付きスライダー１０７、１０８の各頂面１０３ｆ、１０４ｆと１０７ｆ、１０８ｆに形成した各爪部１０３ｇ、１０４ｇと１０７ｇ、１０８ｇが上側と下側の化粧板５０２と５０３に食い込み、取付穴２０１内にアタッチメントユニット１が堅固に固定される。即ち、六角棒レンチ等の工具４で操作シャフト１０１を例えば９０°回転させるというワンタッチの操作だけで、取付穴２０１内にアタッチメントユニット１が堅固に固定できるものであり、従来の如く、例えば台座金具を４本程度のネジで取り付ける場合に比べて格段に簡便な作業で取り付けることができる。
【００５９】
以上の如く、操作シャフト１０１を回転させると、シャフト本体１０１Ａの拡径用カム１０１ａの係合凸部１０１ｂ、１０１ｃが、カム付きスライダー１０３の係合凹部１０３ｅとカム付きスライダー１０４の係合凹部１０４ｅとに嵌まり込み、同様に、シャフトホルダー１０１Ｂの拡径用カム１０１ｏの係合凸部１０１ｔ、１０１ｕがカム付きスライダー１０７及びカム付きスライダー１０４の係合凹部（図３では隠れて見えない。）に嵌まり込むことによって、すべてのカム付きスライダー１０３、１０４、１０７、１０８の拡張状態が保持される。
【００６０】
尚、テーブルの天板等のボードの材質としては、特にハニカム構造の芯材に対して好適に利用できるが、これに限らず、釘や取付ネジの効かない例えばコルク材を心材として用いたもの等にも用いることができるものである。
【００６１】
上記の如くテーブルの天板２Ａの下面の取付穴２０１内に固定されたアタッチメントユニット１の雌ネジ穴１０１ｅに、図６（ｂ）に示すように、テーブルなどのボード５の脚部２に固定した雄ネジ２０２をねじ込むことにより、脚部２をアタッチメントユニット１に固定することができる。その際、カム付きスライダー１０３、１０４の頂面１０３ｆ、１０４ｆに形成した爪部１０３ｇ、１０４ｇとカム付きスライダー１０７、１０８の頂面１０７ｆ、１０８ｆに形成した爪部１０７ｇ、１０８ｇがボード５の化粧版５２と５０３に食い込み、脚部２がアタッチメントユニット１、しかしてボード５に対して堅固に固定される。以上の簡単な作業によって、テーブルの天板を構成するボード５の下面に脚部２をしっかりと取り付けることができる。
【００６２】
尚、図示した例では、ボード５の脚部２に雄ネジ２０２を直接取り付けておき、この雄ネジ２０２をアタッチメントユニット１の雌ネジ穴１０１ｅにねじ込んで固定するようにしたが、これとは異なり、ボード５の脚部２にも雌ネジ付きの座金を取り付けておき、両端まで雄ねじが形成された１本の連結ボルトの一端をアタッチメントユニット１の雌ネジ穴１０１ｅにねじ込み、当該連結ボルトのもう一端を脚部２に取り付けた座金の雌ネジにねじ込んで固定するようにしてもよい。この際には、アタッチメントユニット１を取付穴２１０へ固定させる際に、工具嵌め込み穴１０１ｎを用いることが考えられる。
【００６３】
尚、図７、８に示した治具３は、握り柄３ｂの先端に２本の差し込み足３ａを有するリング部３ｃを形成し、その中央に前記六角棒レンチ等の工具４を通すための工具挿通孔３ｄを形成したものである。治具の形態はこれに限定されず、アタッチメントユニット１に設けた治具嵌め込み部の形状や使用すべき工具４の形態等に応じて各種各様のものを用い得るものである。
【実施例２】
【００６４】
図９は本発明の他の実施例を示し、アタッチメントユニット６のカム付きスライダー６０１、６０２、６０３、６０４の各外周には、複数の係止突起６０１ａ、６０２ａ、６０３ａ、６０４ａが設けられている。その他の内部構造は実施例１と同じであるので、説明を省略する。このように実施すると、アタッチメントユニット６の図示してないボードに設けた取付穴に対する取付状態がさらに強固なものとなり、同じく図示してない脚部に取り付けたネジを実施例１のようにアタッチメントユニット６へ強くねじ込むと、各係止突起６０１ａ、６０２ａ、６０３ａ、６０４ａが取付穴の内周に食い込み、当該アタッチメントユニット６が取付穴内２０１で回転してしまうことをより防止できるので、より脚部２の取付が堅固なものとなるという利点がある。
【００６５】
尚、本発明は前記実施例に限定されるものではなく、例えばボードが棚部の棚板である場合には、アタッチメントユニットへ取り付けられるものは支柱である場合があり、ボードの用途によってさまざまなものが本発明に係るアタッチメントユニットへ取り付けられることになろう。さらに、操作シャフトの形態、カムディスクのカム面のカムの形態、カム付きスライダーやカム付きスライダーの形状や数、配置、ボードに食い込む爪部の数や配置等々は、アタッチメントユニットの使用目的、使用状況等により適宜設計変更されるものであり、従って、本発明は特許請求の範囲に含まれるすべての変更実施例を包摂するものである。
【産業上の利用可能性】
【００６６】
本発明は以上のように構成したので、釘やネジの効かないテーブルや机、或は棚等の天板や棚板として用いられるボードへ、脚部や支柱を取り付ける際のアタッチメントユニットとして好適に用いられるものである。
【符号の説明】
【００６７】
１、６    アタッチメントユニット
１０１    操作シャフト
１０１ａ、１０１ｏ  拡径用カム
１０１ｄ  工具挿入穴
１０１ｅ  雌ネジ穴
１０２    カムディスク
１０２ａ  カム面
１０３    カム付きスライダー
１０３ｇ  爪部
１０３ｊ  カム面
１０３ｏ  ピン穴
１０４    カム付きスライダー
１０４ｇ  爪部
１０５ａ、１０５ｂ  ガイドピン
１０６    皿バネ
１０７    カム付きスライダー
１０７ｇ  爪部
１０７ｊ  カム面
１０８    カム付きスライダー
１０８ｇ  爪部
１０９ａ、１０９ｂ  ガイドピン
１１０    皿バネ
１１１、１１２  治具嵌め込み部
２０１    取付穴
４        工具
５        ボード
５０１    芯材
５０２、５０３  化粧板
６０１ａ、６０２ａ、６０３ａ、６０４ａ  係止突起
【図１】
2012225501.tif 000003
【図２】
2012225501.tif 000004
【図３】
2012225501.tif 000005
【図４】
2012225501.tif 000006
【図５】
2012225501.tif 000007
【図６】
2012225501.tif 000008
【図７】
2012225501.tif 000009
【図８】
2012225501.tif 000010
【図９】
2012225501.tif 000011